(57)【要約】【課題】流れ藻を十分に確保することができる増殖効果の高い藻食性の水産生物の増殖装置を提供する。【解決手段】沈設型筐体２に、藻食性の水産生物が棲息する棲息部３と、複数の鉤状部材を棲息部３の底面より吊設してなる流れ藻捕捉部４とを設ける。棲息部３は、その内部を隔壁８により複数に区画し、水産生物が棲息する棲息室３ａと、潮通しのための潮通し室３ｂとを交互に設ける。【選択図】図１
2004166650.tif 000002
【特許請求の範囲】
【請求項１】
沈設型筐体に、藻食性の水産生物が棲息する棲息部と、流れ藻捕捉部とが設けられたことを特徴とする水産生物増殖装置。
【請求項２】
前記棲息部に開口が設けられ、前記流れ藻補足部は、鉤状部材からなることを特徴とする請求項１記載の水産生物増殖装置。
【請求項３】
前記流れ藻捕捉部は、前記棲息部の下方に設けられたことを特徴とする請求項１又は２記載の水産生物増殖装置。
【請求項４】
前記流れ藻補足部は、複数の鉤状部材を前記棲息部の底面より吊設してなることを特徴とする請求項１〜３のいずれかに記載の水産生物増殖装置。
【請求項５】
複数の前記鉤状部材は、それぞれの鉤の向きが異方向に設定されたことを特徴とする請求項４記載の水産生物増殖装置。
【請求項６】
前記棲息部は、その内部が格子状の隔壁により複数に区画され、水産生物が棲息する棲息室と、潮通しのための潮通し室とが交互に設けられたことを特徴とする請求項１〜５のいずれかに記載の水産生物増殖装置。
【請求項７】
前記棲息室の上面を覆う蓋体が設けられたことを特徴とする請求項６記載の水産生物増殖装置。
【請求項８】
藻食性の水産生物が、アワビ又はウニであることを特徴とする請求項１〜７のいずれかに記載の水産生物増殖装置。
【発明の詳細な説明】
【０００１】
【発明の属する技術分野】
本発明は、藻食性の水産生物の増殖装置に関する。
【０００２】
【従来の技術】
流れ藻とは、海底から離れ、海中を漂流している海藻である。アワビやウニは、この流れ藻を主な食料として生活している。
【０００３】
従来、アワビやウニの増殖事業は、コンクリートブロックを海底に沈め、これを人工魚礁として利用することにより行われていた。（例えば、特許文献１）。
【０００４】
【特許文献１】
特開平１１−２３９４２８
【０００５】
【発明が解決しようとする課題】
しかしながら、流れ藻は、軽くて流されやすいので魚礁周辺に滞留しにくい。したがって、アワビ、ウニは流れ藻を十分に摂取することができないので、上記魚礁でのアワビ、ウニの増殖効果は低かった。
【０００６】
そこで、本発明は、上記に鑑み、流れ藻を十分に確保することができる藻食性の水産生物の増殖装置の提供を目的とする。
【０００７】
【課題を解決する為の手段】
上記目的を達成するため、本発明は、沈設型筐体に、藻食性の水産生物が棲息する棲息部と、流れ藻捕捉部とが設けられたことを特徴とする水産生物増殖装置を提供するものである。
【０００８】
流れ藻捕捉部は、流れ藻を捕捉できる構造であればよいが、さらには捕捉した流れ藻を滞留できる構造であるのが好ましい。流れ藻捕捉部としては、網や表面に凹凸のあるもの等の流れ藻が付着しやすい部材を使用してもよいが、鉤状部材を使用すれば、鉤部分に流れ藻がからまるので細くしやすく、流れ藻の滞留性も高いので好ましい。
【０００９】
このような構成によれば、流れ藻捕捉部で流れ藻を捕捉できるので、流れ藻を多く確保することができる。これにより、水産生物は十分な量の流れ藻を摂取することができるので、水産生物の増殖効果を高めることができる。
【００１０】
また、流れ藻捕捉部は、筐体の内部又は外部等どこに設けてもよいが、棲息部に設けられた開口周辺に設ければ、棲息部内の水産生物が開口から捕食する際に流れ藻と近くなり、捕食しやすくなるので好ましい。また、流れ藻捕捉部は、棲息部の下方に設けるのが好ましい。流れ藻はその重力により海底を漂って流されているものが多くあるので、流れ藻捕捉部を下方に設けたほうが捕捉しやすいからである。また、捕捉された流れ藻の先端は浮力により上方に向かうため、上方にある棲息部内の水産生物に利用されやすくなる。
【００１１】
具体的には、流れ藻補足部は、複数の鉤状部材を棲息部の底面より吊設して構成される。このような構成によれば、複数の鉤状部材により流れ藻を捕捉し、捕捉された流れ藻を水産生物の食料とできる。複数の鉤状部材をそれぞれの鉤の向きが異方向になるように設ければ、様々な方向から流れてくる流れ藻を捕捉できるので、流れ藻の捕捉能力を高めることができる。
【００１２】
棲息部には、開口が設けられており、この開口から、水産生物は流れ藻捕捉部の流れ藻を捕食することができる。また、棲息部の内部は、格子状の隔壁により複数に区画され、水産生物が棲息する棲息室と、潮通しのための潮通し室とが交互に設けられる。潮通し室とは、内部に水産生物や石等の他の物体を収容せずに、潮通しを目的とした区画である。棲息室は、水産生物の生育の場となるように岩石、鉱石、又は石材などの石が収容されるが、棲息室と潮通し室とを交互に設けることにより棲息室の周囲に潮通し室が配され、また、隔壁が格子状に形成されているので、棲息室内の潮通しがよくなる。したがって、水産生物にとって良好な生育環境を保つことができる。また、水産生物が過剰に密集することも防ぐことができる。
【００１３】
また、棲息室には、その上面を覆う蓋体が設けられ、棲息室内への水産生物放流後の初期減耗を防ぐことができる。
【００１４】
本水産生物増殖装置は、アワビ又はウニ等の増殖に使用することができるが、その他の藻食性の水産生物の増殖に使用することができる。
【００１５】
【発明の実施の形態】
以下、本発明の実施形態を図面に基づいて説明する。なお、本実施形態は、本水産生物増殖装置をアワビ又はウニの増殖用に用いた場合を示している。図１は本実施形態の水産生物増殖装置の平面図、図２は同じくその正面図、図３は棲息室の石を取り除いた状態を示す平面図、図４は仕切り材を示す図、図５は鉤状部材の側面図、図６はＡ−Ａ断面図である。
【００１６】
図１〜図３に示すように、本水産生物増殖装置は、土台１の上に筐体２が固定され、該筐体２内に水産生物が棲息する棲息部３と、流れ藻捕捉部４とが設けられて構成される。
【００１７】
土台１は、筐体２よりも面積大の鋼片で、下方へ裾広がりの形状に形成される。このような形状にすれば、海底を浮遊する流れ藻が流れ藻捕捉部４に到達しやすくなり、また、筐体２が海底面に埋没するのを防止できる。また、土台１は、筐体２を海底に沈設するための錘の役割も果たす。
【００１８】
筐体２は、４本×４列で計１６本の支柱５が立設され、支柱５の下端間を連結する下フレーム材６が溶接により設けられ、筐体２内を上方の棲息部３と、下方の流れ藻捕捉部４とに仕切る仕切り材７が支柱５の中間部分に設けられて構成される。筐体２は、その下方一部を土台１に埋没させることにより土台１上に固定される。支柱５及び下フレーム材６には、Ｌ字型の鋼材が用いられる。
【００１９】
棲息部３の内部は、縦横それぞれ３分割して９つに区画され、中央と四方の角の区画が棲息室３ａとされ、その他の４つの区画が潮通し室３ｂとされる。詳しくは、棲息室３ａの周側面に隔壁８が設けられることにより、棲息室３ａと潮通し室３ｂとに区画されている。隔壁８としては、格子状に形成されたものであれば構わないが、金網が使用される。隔壁８は、その周端が支柱５の側面、後述する上フレーム材９及び仕切り材７に溶接固定されることにより設けられる。また、棲息室３ａを囲むように、支柱５の上端間を連結して上フレーム材９が溶接される。
【００２０】
棲息室３ａには、人頭大の自然石が収納され、アワビ又はウニの成育の場となる。中央の棲息室３ａには、その開口部分に段差部１０が設けられ、その段差部１０に、棲息室３ａの上方を覆う鋼製で凹状の蓋体１１が載置される。蓋体１１を設置することにより、棲息室３ａ内に放流された幼生が飛散するのを防止できる。
【００２１】
仕切り材７は、図４に示すように、Ｌ字型の鋼材１２間に、それと直行する方向に複数の保持板１３を配して溶接固定し、さらにＬ字型の鋼材１２と平行に補強板１４を配して保持版３と溶接固定することにより構成される。この仕切り材７が、各棲息室３ａ及び潮通し室３ｂの底板として、支柱５の側面に溶接して固定される。なお、筐体２の構造は上記形態に限定されるものではなく、筐体２が沈設可能で、筐体２に棲息部３及び流れ藻捕捉部４を備えた構造であればよい。また、筐体２の大きさも限定されるものではない。
【００２２】
流れ藻捕捉部４は、鋼製の鉤状部材からなる。図５に示すように、鉤状部材は、その上端の固定部４ａより下方が折曲され、その固定部４ａが、図６に示すように、仕切り材７の保持板１３の側面に溶接固定される。このように鉤状部材４を折曲させることにより、鉤部分が斜めになり、流れ藻を捕捉しやすい構造とできる。なお、鉤状部材の構造は、上記に限定されるものではなく、鉤状の形状を備えた構造であればよい。
【００２３】
また、流れ藻捕捉部４は、各仕切り材７ごとに、鉤部分の向きが異方向になるように設定される。なお、鉤状部材の鉤部分の向きの設定はこれに限定されるものではなく、例えば、すべての鉤状部材の鉤部分の向きを異方向に設定してもよい。
【００２４】
上記の構成の本水産生物増殖装置の使用方法を説明する。海底に設置された本水産生物増殖装置の中央の棲息室３ａ内に、アワビ又はウニの幼生を放流する。蓋体１１を棲息室３ａの段差部１０に設置し、幼生放流時に棲息室３ａ上部より飛散されることによる初期減耗を防ぐ。中央の棲息室３ａに放流されたアワビ又はウニは、他の棲息室３ａにも拡散し、棲息室３ａ内の石の間等で生活する。
【００２５】
流れ藻捕捉部４は、鉤状部材に漂流している多くの流れ藻をひっかけて捕捉し、滞留させる。アワビ又はウニは、棲息室３ａの開口から流れ藻捕捉部４の鉤状部材をつたって降りてきて捕捉された藻類を食べ、食事が終わるとまた棲息室３ａに戻る。
【００２６】
このように、アワビ又はウニは、体が小さい時は棲息室内３ａで生活するので、外敵から身を守ることができる。そして、成長により大きくなり、棲息室３ａの石の隙間が自分のカラの大きさに合わなくなると、棲息室３ａを出て、周辺の岩場や沖に出て生活する。
【００２７】
上記のような構成によると、流れ藻捕捉部４で流れ藻を捕捉できるので、流れ藻を多く確保することができる。アワビ又はウニは十分な量の流れ藻を摂取することができ、良好な棲息環境が整うので、アワビ又はウニの増殖につながる。したがって、本水産生物増殖装置によりアワビ又はウニの棲息量が増えるので、漁獲量を増加させることができる。
【００２８】
【発明の効果】
以上の説明から明らかな通り本発明によると、流れ藻捕捉部を設けたので、流れ藻捕捉部で多くの流れ藻を捕捉でき、その流れ藻を水産生物の食料とすることができる。したがって、水産生物は十分な量の流れ藻を摂取することができるので、その増殖効果も高まる。
【図面の簡単な説明】
【図１】本実施形態の水産生物増殖装置の平面図
【図２】同じくその正面図
【図３】棲息室の石を取り除いた状態を示す平面図
【図４】仕切り材を示す図
【図５】鉤状部材の側面図
【図６】Ａ−Ａ断面図
【符号の説明】
１    土台
２    筐体
３    棲息部
３ａ  棲息室
３ｂ  潮通し室
４    流れ藻捕捉部
８    隔壁
１１  蓋体
【図１】
2004166650.tif 000003
【図２】
2004166650.tif 000004
【図３】
2004166650.tif 000005
【図４】
2004166650.tif 000006
【図５】
2004166650.tif 000007
【図６】
2004166650.tif 000008